(57)【特許請求の範囲】
【請求項１】
プリント基板に放熱板を立設し、これを本体ケース内に収納した電気機器において、前記本体ケースの上方内面より下方に向けて、前記放熱板の側部と対向しかつ近接するようにリブを突設したことを特徴とする放熱板を有する電気機器。
【請求項２】
トランスを備えるプリント基板に放熱板を立設し、これを本体ケース内に収納した電気機器において、前記本体ケースの上方内面より下方に向けて、前記トランスを収納すると共に、前記放熱板の側部と対向しかつ近接するようにリブを突設したことを特徴とする放熱板を有する電気機器。
【請求項３】
プリント基板に放熱板及び電気接点を保持する保持板を立設し、これを本体ケース内に収納した電気機器において、前記プリント基板に、前記放熱板の側部と対向しかつ近接するように前記保持板を突設したことを特徴とする放熱板を有する電気機器。
【発明の詳細な説明】
【０００１】
【発明の属する技術分野】
本発明は、放熱板を有する充電器や電源装置等の電気機器に関する。
【０００２】
【従来の技術】
図４は放熱板を有する一般的な電気機器を示している。４１は本体ケース、４２は本体ケース４１内に収納されるプリント基板、４３はプリント基板４２の上面の略中央に設けられたトランス、４４Ａ、４４Ｂはプリント基板４２の上面に立設された放熱板であり、これら放熱板４４Ａ、４４Ｂはアルミ板や鉄板等をコ字状に折曲してなり、トランス４３を挾んでプリント基板４２の上面を覆うように、プリント基板４２の縁部に取り付けられている。４５Ａ、４５Ｂはプリント基板４２の端部を載置するように、本体ケース４１の底面内部に突設された脚部である。
【０００３】
斯る電気機器において、その駆動時にプリント基板４２上に配された電子部品（図示していない）やトランス４３による発熱は、プリント基板４２上に立設された放熱板４４Ａ、４４Ｂを介して効率よく放熱されることにより、トランス４３や前記電子部品が熱的悪影響を受けないようになっている。
【０００４】
【発明が解決しようとする課題】
ところで、プリント基板４２上に設けられたトランス４３や放熱板４４Ａ、４４Ｂは、かなりの重量物である。従って、落下による衝撃等が加わると、プリント基板４２は、図４に示すように、大きく湾曲して振動し、特に脚部４５Ａ、４５Ｂと接触している部分に応力が集中して、クラックが発生することがある。
【０００５】
斯るクラックの発生を防止するために、プリント基板４２を載置するための脚部を多く形成することが考えられるが、その場合、却ってプリント基板４２へのダメージが増大してしまうことが分かった。これは、脚部を多く設けたことによってプリント基板４２が全く湾曲できず、その結果、衝撃力を吸収することができずに、プリント基板４２への応力集中が大きくなることに起因するものであると考えられる。
【０００６】
一方、充電器や電源装置等の電気機器は、年々、小型化が要求されているが、この場合に注意すべき点は、プリント基板上に設けられるトランス、電子部品又は電気接点等の絶縁対策を十分に行うことである。
【０００７】
そこで、本発明の第１の目的は、落下衝撃等によるプリント基板の損傷を防止することにある。
【０００８】
更に、本発明の第２の目的は、プリント基板上に設けられるトランス、電子部品又は電気接点等の絶縁対策を十分に行うことにある。
【０００９】
【課題を解決するための手段】
本発明による第１の電気機器は、プリント基板に放熱板を立設し、これを本体ケース内に収納した電気機器において、前記本体ケースの上方内面より下方に向けて、前記放熱板の側部と対向しかつ近接するようにリブを突設したことを特徴としている。
【００１０】
また、本発明による第２の電気機器は、トランスを備えるプリント基板に放熱板を立設し、これを本体ケース内に収納した電気機器において、前記本体ケースの上方内面より下方に向けて、前記トランスを収納すると共に、前記放熱板の側部と対向しかつ近接するようにリブを突設したことを特徴とする。
【００１１】
更に、本発明による第３の電気機器は、プリント基板に放熱板及び電気接点を保持する保持板を立設し、これを本体ケース内に収納した電気機器において、前記プリント基板に、前記放熱板の側部と対向しかつ近接するように前記保持板を突設したことを特徴とするものである。
【００１２】
【発明の実施の形態】
図１は本発明の第１実施例であり、同図（Ａ）は一部を破断した斜視図、同図（Ｂ）は同図（Ａ）のＢ−Ｂ線断面図を夫々示している。１は２分割された樹脂ケースを一体化して矩形状に形成した本体ケース、２は本体ケース１内に収納されたプリント基板、３はプリント基板２の上面の略中央に設けられたトランス、４Ａ、４Ｂはプリント基板２の上面に立設された放熱板であり、これら放熱板４Ａ、４Ｂはアルミ板や鉄板等をコ字状に折曲してなり、トランス３を挾んでプリント基板２の上面を覆うように、プリント基板２の縁部に取り付けられている。５Ａ、５Ｂはプリント基板２の端部を載置するように、本体ケース１の底面内部に突設された脚部である。
【００１３】
６Ａ、６Ｂは本発明の特徴であるリブであり、これらリブ６Ａ、６Ｂは、本体ケース１の上壁内面より下方に向けて、放熱板４Ａ、４Ｂの夫々の側部と対向しかつ近接するように突設されている。
【００１４】
斯る電気機器に関して、落下等による衝撃力が印加されると、プリント基板２は湾曲するが、プリント基板２に取り付けられた放熱板４Ａ、４Ｂの側部が、プリント基板２の湾曲の途中でリブ６Ａ、６Ｂに当接する。従って、プリント基板２の湾曲は途中で制限され、大きく湾曲しない。
【００１５】
一方、プリント基板２はその側部がリブ６Ａ、６Ｂに当接するまで湾曲するため、この湾曲がプリント基板２に印加される衝撃力を吸収する。
【００１６】
このように、本体ケース１の上壁内面より下方に向けて、放熱板４Ａ、４Ｂの夫々の側部と対向しかつ近接するように突設されたリブ６Ａ、６Ｂにより、プリント基板２は湾曲するものの、その度合いが適宜に制限される一方、プリント基板２は湾曲によって衝撃力を吸収し、かつ不所望な応力の集中を抑制する。その結果、プリント基板２にクラックが発生することがない。
【００１７】
図２は本発明の第２実施例であり、同図（Ａ）は一部を破断した斜視図、同図（Ｂ）は同図（Ａ）のＢ−Ｂ線断面図を夫々示している。図１と同一部分には同一番号を付して説明を割愛する。２６は本体ケース１の上壁内面より下方に向けて突設されたリブであり、このリブ２６は、放熱板４Ａ、４Ｂの側部と対向しかつ近接するように設けられていると共に、トランス３を収納するように形成されている。
【００１８】
この実施例にあっては、リブ２６は、前述と同様に、プリント基板２の湾曲を許容するもののその湾曲度合いを制限するという作用に加えて、トランス３による発熱を遮蔽して熱的影響を防止する。更に、リブ２６は、トランス３の周囲を包囲することから、トランス３とプリント基板２上に設けられているその他の電子部品（図示していない）とを確実に絶縁する。
【００１９】
図３は本発明の第３実施例を示す要部斜視図である。この図面では、図１や図２に示されている本体ケース１を省略している。３２はプリント基板、３３はプリント基板３２の上面の略中央に設けられたトランス、３４Ａ、３４Ｂはプリント基板３２の上面に立設された放熱板である。これら放熱板３４Ａ、３４Ｂはアルミ板や鉄板等をコ字状に折曲してなり、トランス３３を挾んでプリント基板３２の上面を覆うように、プリント基板３２の縁部に取り付けられている。
【００２０】
３５はプリント基板３２に立設された電気接点３６を保持する保持板である。この保持板３５は樹脂成形品からなり、トランス３３と対向する反対側の面に、電気接点３６を確実に保持するための保持溝を備えている。また、この保持板３５は、放熱板３４Ａ、３４Ｂに挾まれて、放熱板３４Ａ、３４Ｂの夫々の側部と対向しかつ近接するように、プリント基板３２の縁部に立設されている。具体的には、保持板３５は、その底部に形成された嵌合爪をプリント基板３２の嵌合孔に嵌合することにより立設されている。
【００２１】
この実施例にあっては、保持板３５が、前述と同様に、プリント基板２の湾曲を許容するもののその湾曲度合いを制限する。更に、保持板３５は、トランス３３やその他の電子部品と、電気接点３６との絶縁を確実に保つので、トランス３３や電子部品と電気接点３６との間の距離を短くして、装置全体の小型化を図ることができる。
【００２２】
【発明の効果】
本発明によれば、落下衝撃等によるプリント基板の損傷を防止することができる。
【００２３】
更に、本発明によれば、装置の小型化を図りながら、プリント基板上に設けられるトランス、電子部品又は電気接点等の絶縁対策を十分に行うことができる。
【図面の簡単な説明】
【図１】本発明の第１実施例を示しており、同図（Ａ）は一部を破断した斜視図、同図（Ｂ）は断面図である。
【図２】本発明の第２実施例を示しており、同図（Ａ）は一部を破断した斜視図、同図（Ｂ）は断面図である。
【図３】本発明の第３実施例を示す要部斜視図である。
【図４】従来例を示す断面図である。
【符号の説明】
１  本体ケース
２  プリント基板
３  トランス
４Ａ、４Ｂ  放熱板
６Ａ、６Ｂ、２６  リブ
【図１】
0003675993.tif 000002
【図２】
0003675993.tif 000003
【図３】
0003675993.tif 000004
【図４】
0003675993.tif 000005